(57)【特許請求の範囲】
【請求項１】
被写体を撮像する撮像部と、撮像した画像情報を記録媒体に記録する及び当該記録媒体に記録された情報を読出す記録再生部と、を備えた情報記録再生装置であって、
外装ケースと、
前記外装ケース内に配設される冷却用ファンと、
前記外装ケースの、撮影時に撮影者側となる領域に形成され、前記冷却用ファンの駆動によって外部の空気を吸入する吸気口と、
前記外装ケースに設けられ、前記冷却用ファンの駆動によって生じた気流を排出する排気口と、
を備え、
前記吸気口が複数形成されてなり、
前記外装ケースの、撮影時に撮影者と対向する面に、バッテリを着脱可能に取付けるバッテリ取付部が形成されてなり、当該バッテリ取付部は、バッテリが装着されるバッテリ装着領域と、当該バッテリ装着領域に対しバッテリを着脱させるための着脱用領域と、を有し、当該着脱用領域に、前記吸気口の少なくとも１つを形成してなる情報記録再生装置。
【請求項２】
前記複数の吸気口と冷却用ファンは、通風ダクトによって接続されてなる請求項１記載の情報記録再生装置。
【請求項３】
前記通風ダクトは、前記吸気口から吸入した空気を通過させる流路が流線型である請求項２記載の情報記録再生装置。
【請求項４】
前記吸気口の少なくとも１つを、前記外装ケースの、前記冷却用ファンと対向する位置に形成してなる請求項１ないし請求項３のいずれか一項に記載の情報記録再生装置。
【請求項５】
前記外装ケース内に配設され、信号処理用の集積回路が実装された回路基板と、
前記外装ケース内に配設され、被写体の光学像を入射するレンズ部と、
をさらに備え、
前記回路基板は、前記レンズ部の、撮影時に下方となる位置に、前記集積回路が実装される面が、撮影時に略水平になるよう配置してなる請求項１ないし請求項４のいずれか一項に記載の情報記録再生装置。
【請求項６】
前記外装ケース内に配設され、前記記録再生部を支持する支持体をさらに備え、
前記支持体は、前記撮像部側と記録再生部側とを分離し、当該撮像部側と記録再生部側との空気の流通を遮断する請求項１ないし請求項５のいずれか一項に記載の情報記録再生装置。
【請求項７】
前記支持体は、モールド成形されてなる請求項６記載の情報記録再生装置。
【請求項８】
前記記録媒体が光ディスクであり、
前記記録再生部は、光ディスクドライブであり、
前記支持体は、前記光ディスクドライブを支持する請求項６または請求項７記載の情報記録再生装置。
【請求項９】
前記記録媒体がＳＤメモリカードであり、
前記外装ケース内に配設されたＳＤメモリカード用回路基板と、
前記外装ケース内に配設され、前記ＳＤメモリカードを受領して当該ＳＤメモリカード用回路基板に電気的に接続するＳＤコネクタと、
をさらに備え、
前記ＳＤコネクタは、撮影時に上方となる位置にＳＤメモリカード挿入口が形成されてなる請求項１ないし請求項７のいずれか一項に記載の情報記録再生装置。
【請求項１０】
前記ＳＤメモリカードは、前記ＳＤコネクタに受領された際に、当該ＳＤコネクタとの接続端子が形成されている面が、撮影時に撮影者と対向する面に略平行となる請求項９記載の情報記録再生装置。
【発明の詳細な説明】
【技術分野】
【０００１】
本発明は、記録媒体に情報の記録を行う及び／または記録媒体に記録された情報の再生を行う情報記録再生装置に関する。
【背景技術】
【０００２】
従来から、情報記録再生装置（例えば、ビデオカメラ）では、当該情報記録再生装置内に配設されている回路基板に搭載されたＬＳＩ等の回路部品から生じる熱の放熱対策として、情報記録再生装置の骨格となる金属フレームに熱伝導率に優れた銅板等の放熱板を接続して外部の筐体に放熱する構造とし、放熱板と回路基板間を放熱ゴムで接続して放熱性を改善する等の工夫がなされている。
【０００３】
また、情報記録再生装置の外装ケースに、空気の吸気口が下面に開口され且つ排気口が上面に開口される流体通路を設けると共に、この流体通路内に冷却用ファンを配設し、当該冷却用ファンによって前記吸気口から吸入した空気を排気口から排出することで生じる気流により、装置内部の温度上昇を抑制する情報記録再生装置が紹介されている。（例えば、特許文献１参照）。
【特許文献１】特開２００５−６３５３４号公報
【発明の開示】
【発明が解決しようとする課題】
【０００４】
近年、情報記録再生装置の高画質化に伴い、撮像素子や回路基板の発熱量が増大している一方、装置全体を極力小型化することが益々要求されている。この小型化の要求に応じるため、冷却用ファンによって生じる気流により放熱を行う情報記録再生装置では、当該冷却用ファンによって吸入される空気の吸気口の面積を、前記放熱を行うために必要な量の空気を吸入できる広さに確保することが難しい状況となっている。例えば、特許文献１に記載された情報記録再生装置は、外装ケースの前後方向中程に位置する下面に、前記空気の吸気口を１箇所開口した構成であるため、この吸気口の面積を十分に確保することが困難となる虞がある。
【０００５】
本発明は、このような事情に鑑みなされたものであり、放熱を行うために必要な量の空気を情報記録再生装置内に吸入でき、発熱源となる部品を効率よく冷却することが可能であると共に、小型化が達成された情報記録再生装置を提供することを目的とする。
【課題を解決するための手段】
【０００６】
この目的を達成するため本発明は、被写体を撮像する撮像部と、撮像した画像情報を記録媒体に記録する及び当該記録媒体に記録された情報を読出す記録再生部と、を備えた情報記録再生装置であって、外装ケースと、前記外装ケース内に配設される冷却用ファンと、前記外装ケースの、撮影時に撮影者側となる領域に形成され、前記冷却用ファンの駆動によって外部の空気を吸入する吸気口と、前記外装ケースに設けられ、前記冷却用ファンの駆動によって生じた気流を排出する排気口と、を備え、前記吸気口が複数形成されてなり、前記外装ケースの、撮影時に撮影者と対向する面に、バッテリを着脱可能に取付けるバッテリ取付部が形成されてなり、当該バッテリ取付部は、バッテリが装着されるバッテリ装着領域と、当該バッテリ装着領域に対しバッテリを着脱させるための着脱用領域と、を有し、当該着脱用領域に、前記吸気口の少なくとも１つを形成してなる情報記録再生装置を提供するものである。
【発明の効果】
【０００７】
本発明によれば、放熱を行うために必要な量の空気を装置内に吸入でき、発熱源となる部品を効率よく冷却することが可能であると共に、小型化が達成された情報記録再生装置を提供することができる。
【発明を実施するための最良の形態】
【０００８】
次に、本発明の好適な実施の形態にかかる情報記録再生装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【０００９】
図１は、本実施の形態にかかる情報記録再生装置の外観を前方から見た状態を示す斜視図、図２は、図１に示す情報記録再生装置の外観を後方から見た状態を示す斜視図、図３は、図１に示す情報記録再生装置の正面図、図４は、図１に示す情報記録再生装置の背面図、図５は、図１に示す情報記録再生装置に形成された２つの排気口を接続する通風ダクトと冷却用ファンとの関係が判るよう外装ケースのリア側を取除いた状態を背面側から見た図、図６は、図１０に示すVI−VI線に沿った断面図、図７は、図１に示す情報記録再生装置の冷却用ファンとメイン基板との関係が判るよう表示部と外装ケースのリア側及び右側を取除いた状態を背面側から見た図、図８は、図１１に示すVIII−VIII線に沿った断面図、図９は、図１に示す情報記録再生装置から撮像部及び表示部を取除いた状態を正面側から見た図、図１０は、図７に示す情報記録再生装置の左側面図、図１１は、図１０に示す情報記録再生装置の上方から見た平面図である。
【００１０】
なお、前記各図では、説明を判り易くするため、各部材の厚さやサイズ、拡大・縮小率等は、実際のものとは一致させずに記載した。また、説明を判り易くするため、前記各図において、冷却用ファンは、そのハウジング（外形）のみを記載し、図８では断面を示すハッチングの記載を省略してある。
【００１１】
また、本実施の形態では、撮影時に撮影者側となる方を「リア側」または「後側」とし、リア側の反対側（すなわち、撮影時に被写体を向く側）を「フロント側」または「前側」として説明する。そしてまた、本実施の形態では、装置のリア側に向かって右側を「右」、装置のリア側に向かって左側を「左」として説明する。また、装置の上下方向は、撮影する際の上下方向とする。
【００１２】
図１〜図６、図８、図９に示すように、本実施の形態にかかる情報記録再生装置１（例えば、ビデオカメラ）は、装置の外装を構成する外装ケース１１を有している。この外装ケース１１は、撮影者が片手で把持して操作することが可能なサイズを備え、内部に撮影光学系等が配設された本体ケース１１Ａと、本体ケース１１Ａの右側に配設され、内部に光ディスクドライブ３０等が配設されたＲケース１１Ｂと、Ｒケース１１Ｂの右側に、Ｒケース１１Ｂに対し開閉可能に配設され、内部にハードディスクドライブ４０が配設されたＲケースカバー１２と、を備えている。Ｒケースカバー１２は、情報記録再生装置１を使用者が把持しやすいように外側に向けて湾曲したグリップ部となっており、Ｒケースカバー１２を開くことで、光ディスクドライブ３０の所定位置に光ディスクを装着する、あるいは装着されていた光ディスクを取り出すことができるようになっている。
【００１３】
本体ケース１１Ａのフロント側上部には、撮影光学系が組み込まれた鏡筒１３が前後方向に延在し、その前部が本体ケース１１Ａのフロント面に臨むように設けられている。本体ケース１１Ａのフロント側上部には、音声を収音するためのマイクロフォン１４が鏡筒１３の前部上面に配設されている。また、本体ケース１１Ａのフロント側の下部には、後に詳述する冷却用ファン５０によって生じた気流が排出される排気口１５（図３及び図９参照）が形成されている。一方、本体ケース１１Ａの上部のリア側には、本体ケース１１Ａ内に配設されているＳＤコネクタ９０（図５、図７、図１０及び図１１参照）にＳＤメモリカード（Secure Digital memory card）を挿入する、または抜き取る際に開閉される開閉カバー１８が設けられている。
【００１４】
また、本体ケース１１Ａのリア側の面（背面）には、バッテリ１９を着脱可能に取付けるバッテリ取付部２０が形成されている。このバッテリ取付部２０は、特に図４に示すように、バッテリ１９が装着されるバッテリ装着領域２１と、バッテリ装着領域２１に対しバッテリ１９をスライドさせて着脱させるためのスペースである着脱用領域２２を有している。このバッテリ取付部２０の下方には、本体ケース１１Ａ内に空気を取り入れるための吸気口２３が形成されており、着脱用領域２２には、外装ケース１１内に空気を取り入れるための吸気口２４が形成されている。このように、２つの吸気口２３及び２４が形成されているため、吸気口の合計面積を大きくとることができ、放熱を行うために必要な量の空気を本体ケース１１Ａの内部に確実に吸気することができる。
【００１５】
ここで、着脱用領域２２は、バッテリ装着領域２１にバッテリ１９を装着する、あるいはバッテリ１９を取外す際に、バッテリ１９をスライドさせるために使用されるが、バッテリ１９がバッテリ装着領域２１に装着された際には、外部に露出した状態となる。したがって、バッテリ１９が吸気口２４を遮ることがないため、吸気口２４からの吸気が妨げられることがない。また、バッテリ１９がバッテリ装着領域２１に装着された際にはデッドスペースとなる着脱用領域２２に吸気口２４を配設しているため、吸気口２４を配設するための領域を別途割り当てる必要がなく、必要な吸気量を確保する面積で吸気口２４を形成しても、情報記録再生装置１の小型化に支障を来すことがない。なお、本体ケース１１Ａのリア側面には、録画の開始及び停止を行う録画ボタン２５が設けられている。
【００１６】
本体ケース１１Ａの左側には、撮影・再生時に映像等を表示する、例えば液晶表示装置からなる表示部１６が配設されている。この表示部１６は、表示部支点部１７を支点として開閉、回転させることができ、使用状態に適した角度に調整可能となっている。
【００１７】
次に、情報記録再生装置１の内部構造について、図５〜図１１を参照して説明する。本体ケース１１Ａの内部には、図１０及び図１１に示すように、鏡筒１３がフロント側からリア側に向けて延出した状態で配設されており、この鏡筒１３のフロント側には、レンズ３１が配設されており、鏡筒１３のリア側端には、フロント側から順に、ＣＭＯＳ（Complementary Metal Oxide Semiconductor）基板３２、ＧＹＲ（Gyro：ジャイロ搭載）基板３３、ＲＥＧ（Regulator：電源調整回路）基板３４が配設されている。また、ＲＥＧ基板３４よりもリア側には、ＳＤ基板（ＳＤメモリカード用回路基板）３５と、ＳＤ基板３５のリア側に配設され、ＳＤメモリカードを受領してＳＤメモリカードをＳＤ基板３５に電気的に接続するＳＤコネクタ９０が配設されている。
【００１８】
ＳＤコネクタ９０は、内部にＳＤメモリカードを受領した際に、ＳＤメモリカードのＳＤコネクタ９０との接続端子が形成されている面が、前後方向を向く（撮影時に撮影者と対向する面に略平行となる）ように配設されており、ＳＤメモリカードを挿入するための挿入口が上面に形成されている。ここで、ＳＤメモリカードは、通常、略直方体を有しているが、幅の狭い方の縁が情報記録再生装置１の左右方向となり、幅の長い方の縁が情報記録再生装置１の上下方向となるよう、情報記録再生装置１の上部から下部に向けて挿入される。したがって、ＳＤメモリカードが、情報記録再生装置１の左右方向の長さを長くする要因となることがない。また、ＳＤメモリカードを情報記録再生装置１の上部から挿入することができるため、操作性を向上させることができる。
【００１９】
鏡筒１３の下方には、ＯＩＳ（Optical Image Stabilizer）基板４１が、回路が実装される面を略水平にした状態で配設され、ＯＩＳ基板４１の下方には、情報記録再生装置１のメインシステムに関する信号処理用の集積回路等が実装されたメイン基板４２が、ＯＩＳ基板４１と間隔をおいて、ＯＩＳ基板４１と平行に（即ち、回路が実装される面を略水平にした状態で）配設されている。さらに、メイン基板４２の下方には、ＪＡＣＫ基板４３が、メイン基板４２と間隔をおいて、メイン基板４２と平行に配設されている。
【００２０】
ここで、従来の情報記録再生装置では、通常、メイン基板は、鏡筒（レンズ部）のリア側に、本体ケース１１Ａの底面に対し垂直に配設されているため、情報記録再生装置の幅（左右方向）を小さくするには、レンズ部に干渉しないように当該レンズ部を逃げる形状をとる必要がある。したがって、メイン基板の必要面積を確保するためには、前後方向の長さ（フロント端面からリア端面までの長さ）を短くすることは実質上できなかった。本実施の形態にかかる情報記録再生装置１では、鏡筒１３（レンズ部）の下方に、ＯＩＳ基板４１、メイン基板４２、ＪＡＣＫ基板４３を互いに略水平に配設した構成を備えているため、鏡筒１３（レンズ部）のリア側にＯＩＳ基板４１やメイン基板４２を略垂直に配設する場合に比べ、情報記録再生装置１の前後方向の長さを短くすることができる。また、従来の情報記録再生装置では、通常、鏡筒（レンズ部）の下方には、外部接続用の端子等が配設されており、デッドスペースも存在していたが、本発明では、この鏡筒１３（レンズ部）の下方にあるスペースを基板配設用のスペースとしたため、従来、デッドスペースであった部分も有効に利用することができ、さらに小型化を達成することができる。
【００２１】
メイン基板４２のリア側であって、ＳＤコネクタ９０の下方には、冷却用ファン５０が配設されている。この冷却用ファン５０のリア側には、冷却用ファン５０と、吸気口２３及び２４とを連通させる通風ダクト６０が配設されている。この通風ダクト６０を配設することで、冷却用ファン５０から離れて形成されている吸気口２４から空気を無駄なく吸い込むことができる。また、通風ダクト６０は、特に図５に示すように、吸気口２４から吸気口２３に向けてなだらかにカーブした流線型を有しており、その内部に形成されている流路も、これに準じた流線型となっている。ここで、冷却用ファン５０の駆動によって吸気口２３及び２４から吸入された空気は、通風ダクト６０を通って冷却用ファン５０に到達するが、この時、通風ダクト６０によって画定される空気の流路が流線型となっているため、空気をスムースに流通させることができる。また、吸気口２３は、冷却用ファン５０と対向する位置に形成されているため、吸気口２３から吸入された空気は、即座にフロント側に移動する。したがって、空気を効率よく流通させることができる。
【００２２】
また、高温になりやすい部品であるメイン基板４２やＯＩＳ基板４１等は、前述したように、鏡筒１３の下方に略水平に配置されており、冷却用ファン５０が形成する気流の軌道上にある（図１０参照）ため、この気流がメイン基板４２やＯＩＳ基板４１等に直接当たることになるため、これらを無駄なく放熱させる（冷却する）ことができる。
【００２３】
なお、本実施の形態では、冷却用ファン５０として、外部の空気を本体ケース１１Ａの内部に吸込む吸込式のファンを使用した。また、冷却用ファン５０をリア側に配設し、マイクロフォン１４をフロント側に配設して両者の配設位置を離したため、冷却用ファン５０の駆動音がマイクロフォン１４で集音されることを防止することもできる。そしてまた、冷却用ファン５０の駆動によって生じる気流は、リア側からフロント側へ流通し、排気口１５から外部に排出されるため、排出された気流（空気）が、撮影者に当たることを防止することもできる。
【００２４】
Ｒケース１１Ｂは、光ディスクに動画を記録するための光ディスクドライブ３０を保護しており、Ｒケースカバー１２を開くことにより光ディスクドライブ３０への光ディスクの装着及び取り出しができるようになっている。このＲケース１１Ｂ内には、光ディスクドライブ３０を支持する支持体としての樹脂プレート３７が配設されている。この樹脂プレート３７は、樹脂をモールド成形することで構成されており、その右側面に光ディスクドライブ３０を位置させ、Ｒケース１１Ｂの本体ケース１１Ａ寄りに位置する壁部に、光ディスクドライブ３０と共に、螺子等の固定部材により共締めされている。なお、樹脂プレート３７は、撮像部側と光ディスクドライブ３０側とを分離し、撮像部側と光ディスクドライブ３０側との空気の流通を遮断する役割も果たしている。また、樹脂プレート３７の左側面には、図８及び図１０に示すように、ドライブ回路基板３６が配設されている。
【００２５】
ここで、樹脂プレート３７は、加工形状に自由度があるモールド成形により形成されているため、例えば、金属等をプレス加工して形成した場合に比べ、樹脂プレート３７自身に隙間が形成されることなく任意の形状に形成される。したがって、樹脂プレート３７を境として、本体ケース１１Ａ側（撮像部側）と、Ｒケース１１Ｂ側（光ディスクドライブ３０側）との間で空気の流通が行われることは殆ど無いため、冷却用ファン５０で吸気した空気が、光ディスクドライブ３０側に到達することが殆ど無い。このため、仮に、冷却用ファン５０で吸気した空気に塵埃が混入していたとしても、この塵埃が光ディスクドライブ３０側に入ることを防止することができる。
【００２６】
なお、光ディスクとしては、例えば、ＤＶＤ（Digital Versatile Disc）−ＲやＤＶＤ＋ＲＷ等の各種ＤＶＤはもちろん、ＢＤ（Blue-ray Disc）やＨＤ（High Definition）−ＤＶＤ等であってもよい。
【００２７】
光ディスクドライブ３０は、その右側面が、光ディスクを装着する光ディスク装着面３８となっており、光ディスク装着面３８の略中央部には、装着した光ディスクに形成されている中央孔に挿入され、光ディスクをチャッキングするクランプ部３９が形成されている。
【００２８】
なお、本実施の形態では、本体ケース１１Ａのリア側に２つの吸気口２３及び２４を形成した場合について説明したが、これに限らず、吸気口は、所望により３つ以上形成してもよい。また、本実施の形態では、吸気口２３をバッテリ取付部２０の下方に形成し、吸気口２４を着脱用領域２２に形成した場合について説明したが、これに限らず、吸気口の配設位置は、外装ケース１１の撮影時に撮影者側となる領域（即ち、外装ケース１１のリア側）であれば、任意の位置を選択することができる。
【００２９】
また、本実施の形態では、通風ダクト６０により、吸気口２３と吸気口２４とを接続した場合について説明したが、これに限らず、通風ダクト６０は、必ずしも設けなくてもよい。また、通風ダクト６０の形状は、流線型に限らず、例えば、吸気口２３や吸気口２４の形成位置に応じて任意に設定することができる。
【００３０】
そしてまた、本実施の形態では、冷却用ファン５０を本体ケース１１Ａのリア側下部に配設した場合について説明したが、これに限らず、冷却用ファン５０は、吸気口２３や吸気口２４から空気を吸入でき、吸入された空気によって生じる気流により放熱を行わせることができれば、所望により他の位置に配設することもできる。
【００３１】
また、本実施の形態では、小型化の達成や、効率のよい放熱を行わせる目的で、ＯＩＳ基板４１、メイン基板４２及びＪＡＣＫ基板４３をレンズ部（鏡筒１３）の下方に略水平に配置した場合について説明したが、これに限らず、所望により、例えば、メイン基板４２のみをレンズ部（鏡筒１３）の下方に略水平に配置してもよく、場合によっては、ＯＩＳ基板４１、メイン基板４２及びＪＡＣＫ基板４３を他の位置に配置してもよい。この場合、放熱させることが必要となる基板を冷却用ファン５０によって効率よく冷却でき且つ小型化が達成されるよう、各基板の位置を決定することが望ましい。
【００３２】
そしてまた、本実施の形態では、樹脂プレート３７によって光ディスクドライブ３０を支持した場合について説明したが、これに限らず、光ディスクドライブ３０を搭載しないタイプの情報記録再生装置の場合、樹脂プレート３７によってハードディスクドライブ４０を支持してもよい。また、本実施の形態では、撮像部側とディスクドライブ側との空気の流れを遮断するため、樹脂プレート３７をモールド成形により形成した場合について説明したが、これに限らず、ディスクドライブを支持する支持体は、必ずしも樹脂製でなくてもよく、また必ずしもモールド成形により形成しなくてもよい。
【００３３】
また、本実施の形態では、ＳＤメモリカードを情報記録再生装置１の上部から挿入する場合について説明したが、これに限らず、ＳＤメモリカードは、所望により別の方向から挿入するようにしてもよい。
【００３４】
さらにまた、本実施の形態では、記録媒体として、光ディスク、ハードディスク、ＳＤメモリカードを使用する場合について説明したが、これに限らず、情報記録再生装置１として機能させることができれば、様々な記録媒体から任意に選択することができる。
【図面の簡単な説明】
【００３５】
【図１】本発明の実施の形態にかかる情報記録再生装置の外観を前方から見た状態を示す斜視図である。
【図２】図１に示す情報記録再生装置の外観を後方から見た状態を示す斜視図である。
【図３】図１に示す情報記録再生装置の正面図である。
【図４】図１に示す情報記録再生装置の背面図である。
【図５】図１に示す情報記録再生装置に形成された２つの排気口を接続する通風ダクトと冷却用ファンとの関係が判るよう外装ケースのリア側を取除いた状態を背面側から見た図である。
【図６】図１０に示すVI−VI線に沿った断面図である。
【図７】図１に示す情報記録再生装置の冷却用ファンとメイン基板との関係が判るよう表示部と外装ケースのリア側及び右側を取除いた状態を背面側から見た図である。
【図８】図１１に示すVIII−VIII線に沿った断面図である。
【図９】図１に示す情報記録再生装置から撮像部及び表示部を取除いた状態を正面側から見た図である。
【図１０】図７に示す情報記録再生装置の左側面図である。
【図１１】図１０に示す情報記録再生装置の平面図である。
【符号の説明】
【００３６】
１…情報記録再生装置、  １１…外装ケース、  １３…鏡筒、  １５…排気口、  １６…表示部、  １９…バッテリ、  ２０…バッテリ取付部、  ２１…バッテリ装着領域、  ２２…着脱用領域、  ２３、２４…吸気口、  ３０…光ディスクドライブ、  ３７…樹脂プレート、  ４０…ハードディスクドライブ、  ４１…ＯＩＳ基板、  ４２…メイン基板、  ５０…冷却用ファン、  ６０…通風ダクト、  ９０…ＳＤコネクタ
【図１】
0005066486.tif 000002
【図２】
0005066486.tif 000003
【図３】
0005066486.tif 000004
【図４】
0005066486.tif 000005
【図５】
0005066486.tif 000006
【図６】
0005066486.tif 000007
【図７】
0005066486.tif 000008
【図８】
0005066486.tif 000009
【図９】
0005066486.tif 000010
【図１０】
0005066486.tif 000011
【図１１】
0005066486.tif 000012